(57)【要約】【課題】靴底に貫通孔を設け通気性を向上しつつ、晴れの日や乾いた路面を歩く場合と、雨の日や濡れた路面を歩く場合とで通気性を変更できる靴底を提供すること。【解決手段】アタッチメント付通気靴セットが、胛被と、複数の貫通孔が設けられている靴底とから構成される靴と、当該複数の貫通孔に嵌合し、中央が通気孔となっている複数の凸部を有し、その通気孔には少なくとも１層のメッシュシートが設けられている通気用アタッチメントと、当該複数の貫通孔に嵌合する複数の凸部を有し、通気部を有さない貫通孔閉塞用アタッチメントとの組み合わせからなること。【選択図】図５
0003151648.tif 000002
【実用新案登録請求の範囲】
【請求項１】
胛被と、複数の貫通孔が設けられている靴底とから構成される靴と、
当該複数の貫通孔に嵌合し、中央が通気孔となっている複数の凸部を有し、その通気孔には少なくとも１層のメッシュシートが設けられている通気用アタッチメントと、
当該複数の貫通孔に嵌合する複数の凸部を有し、通気部を有さない貫通孔閉塞用アタッチメントとの組み合わせからなるアタッチメント付通気靴セット。
【請求項２】
貫通孔が、靴底の前方の接地面に設けられていることを特徴とする請求項１に記載のアタッチメント付通気靴セット。
【請求項３】
通気用アタッチメントのメッシュシートが、強度の異なる複数の層からなることを特徴とする請求項１又は２に記載のアタッチメント付通気靴セット。
【請求項４】
通気用アタッチメント又は貫通孔閉塞用アタッチメントの上部全面に吸水性を有するメッシュシートが設けられていることを特徴とする請求項１から３のいずれか１項に記載のアタッチメント付通気靴セット。
【考案の詳細な説明】
【技術分野】
【０００１】
本考案は、靴内部の湿気や熱を外部に放出することが出来、かつ気候や路面状況に応じ通気性を変更できる、靴底に貫通孔が設けられた靴と、その貫通孔に嵌め込むアタッチメントのセットに関するものである。
【背景技術】
【０００２】
従来より、ビジネスシューズに利用される革靴など、胛被を有する靴にあっては、サンダル等に比べ通気性が悪い。そして、通気性の悪い靴を履くと、靴の中は蒸れている状態となり、雑菌が汗と混ざり、悪臭を生じるという問題点があった。
そのため、悪臭を生じさせないためには靴の通気性を向上する必要があり、靴の胛被に孔を設けたものや、靴底にパイプを通しポンプを利用して排気するもの（例えば、特許文献１参照。）など、様々な技術が考案されている。
【０００３】
このような通気靴のうち、排気性を最も効率的に高めるためには、靴底に貫通孔を設けることが考えられる。しかしながら、そのような靴底では、雨の日の濡れた路面や水溜まりを歩いたときに水が侵入してきてしまうという不都合が生じる。
【０００４】
そこで、靴底に貫通孔を設けた上で、外底と中底の間に防水性の薄膜を設けた技術が公開されている（例えば、特許文献２参照。）。
【０００５】
しかしながら、このような技術であっても、防水性能が薄膜の性能により変わるため、性能が高い薄膜を利用する場合にはコストが高くなってしまうという問題点があり、またその防水性能にはやはり限界があり、雨が激しい日には適さないという問題点があった。
【先行技術文献】
【特許文献】
【０００６】
【特許文献１】特許第３０４８８５０号公報
【特許文献２】特開平１０−２３４４１４号公報
【考案の概要】
【考案が解決しようとする課題】
【０００７】
そこで、本考案の目的は、靴底に貫通孔を設け通気性を向上しつつ、晴れの日や乾いた路面を歩く場合と、雨の日や濡れた路面を歩く場合とで通気性を変更できる靴底を提供することを目的とする。
【課題を解決するための手段】
【０００８】
前記課題を解決するため、本考案のアタッチメント付通気靴セットは、胛被と、複数の貫通孔が設けられている靴底とから構成される靴と、
当該複数の貫通孔に嵌合し、中央が通気孔となっている複数の凸部を有し、その通気孔には少なくとも１層のメッシュシートが設けられている通気用アタッチメントと、
当該複数の貫通孔に嵌合する複数の凸部を有し、通気部を有さない貫通孔閉塞用アタッチメントとの組み合わせからなる。
【０００９】
また、貫通孔が、靴底の前方の接地面に設けられていることが好適である。
また、通気用アタッチメントのメッシュシートが、強度の異なる複数の層からなることが好適である。
また、通気用アタッチメント又は貫通孔閉塞用アタッチメントの上部全面に吸水性を有するメッシュシートが設けられていることが好適である。
【００１０】
本考案の靴は、胛被と、外底及び中底からなる靴底とから構成される。すなわち、サンダル等に比べ通気性が悪く、通気性の向上が必要とされる靴であり、主として革靴などのビジネスシューズに使用されるものである。
そして、靴底には複数の貫通孔が設けられている。貫通孔の大きさや数は、通気性の程度，靴の大きさや靴底の素材，デザイン等に応じて適宜設計すればよい。
また、貫通孔の位置は、かかと部や土踏まずにあたる部分に設けることも可能であるが、蒸れや悪臭を防ぐためには、土踏まずより前方でつま先より後方にある接地面に設けることが通気性を最も高めることが出来、効率が良い。
【００１１】
そして、本考案においては、貫通孔に嵌め込んで使用される、通気用と貫通孔閉塞用の２種類のアタッチメントが用いられる。なお、アタッチメントの素材は、靴底の貫通孔に嵌め込んだ後は靴底の一部となることから、靴底と同じ素材であることが望ましい。
【００１２】
通気用アタッチメントは、複数の貫通孔に嵌合し、中央が通気孔となっている複数の凸部を有している基材から構成される。この凸部が、貫通孔に嵌まり、靴底に固定されることができる。
なお、嵌め込んだ後、アタッチメントは靴底の一部を構成するので、嵌め込んだ後のアタッチメントの高さが、靴底と段差を生じないようにアタッチメント基材の形状及び外底と中底の形状を設計することで、違和感ない履き心地を維持することができる。
【００１３】
また、凸部は、その中央が通気孔となっている。貫通孔に嵌め込まれたこの凸部の通気孔によって、靴の換気が行われ通気性が向上される。なお、後述するように、取り外しを容易にするために１つの凸部については通気孔を設けないことも可能であるため、凸部の数と貫通孔の数は特段の事情がないかぎり同数であるが、通気孔を設けた凸部の数は貫通孔の数と同数である必要はないものである。
【００１４】
さらに、その通気孔には、異物の混入などを防ぐため、メッシュシートが設けられる。このメッシュシートは、靴底側に設けることもできるが、破れたりしないように、通常中底側に設けられる。メッシュシートの素材は、求められる強度及び通気性に合わせて、布・合成樹脂・アルミその他の金属など、適宜選択することができる。メッシュの大きさについても、特に限定されるものではなく適宜設定することができるが、例えばアルミメッシュで10〜80メッシュのものを使用することができる。
メッシュシートは必ずしも１層である必要がなく、重ねて複数層とすることも可能である。特に、通気用アタッチメントの上部全面に、例えば布地や合成繊維など吸水性を有するメッシュシートが設けられていれば、外から入り込んだ湿気や足からの汗を吸収し快適性を高めることが出来、デザイン上も望ましい。
【００１５】
貫通孔閉塞用アタッチメントは、複数の貫通孔に嵌合する複数の凸部を有し、基材の形状も通気用アタッチメントと同様である。しかしながら、凸部には通気孔は有さず、貫通孔を閉塞する構造となっている。これにより、貫通孔閉塞用アタッチメントを靴底に嵌め込んだ後は、靴底から水が侵入する余地を排除することが出来るものである。なお、貫通孔閉塞用アタッチメントにも、外から入り込んだ湿気や足からの汗を吸収し快適性を高めデザイン性も向上するため、通気用アタッチメントと同様に、その上部全面に吸水性を有する、例えば布地のメッシュシートを設けることが可能である。
【００１６】
本考案の使用に当たっては、その日の天候や路面などにあわせて、通気用又は貫通孔閉塞用のどちらかのアタッチメントを選択し、靴に嵌め込めば良い。そして、天候や路面環境が変われば、そのアタッチメントを取り外し、交換すれば良い。なお、通気用アタッチメントを取り外す際、使用者がメッシュシート部分を押して破ってしまわないように、凸部の１つを通気孔を設けない構造とすることが可能である。
【考案の効果】
【００１７】
本考案の以上の構成により、靴底に貫通孔を設け通気性を向上しつつ、晴れの日や乾いた路面を歩く場合と、雨の日や濡れた路面を歩く場合とで通気性を変更できる靴底を提供することが出来る。
すなわち、晴れた日や乾いた路面を歩くときには靴底の孔に通気用のアタッチメントを嵌め込み、高い通気性を保ちつつ使用することが出来る。また、雨の日や濡れた路面を歩くときには、通気用のアタッチメントに変えて貫通孔閉塞用のアタッチメントを嵌め込み、靴底からの水の侵入を防ぐことが出来る。
【図面の簡単な説明】
【００１８】
【図１】本考案の靴底を示す図である。
【図２】本考案の通気用アタッチメントを示す構造図である。
【図３】本考案の通気用アタッチメントの基材を示す斜視図である。
【図４】本考案の通気用アタッチメントを下から見た図である。
【図５】通気用アタッチメントを靴底に嵌め込もうとする図である。
【図６】通気用アタッチメントを嵌め込んだ靴を下から見た図である。
【図７】本考案の貫通孔閉塞用アタッチメントを示す斜視図である。
【図８】本考案の貫通孔閉塞用アタッチメントを示す斜視図である。
【考案を実施するための形態】
【００１９】
本考案の実施の形態の一例を図面にしたがって説明する。
【００２０】
図１は本考案の靴底１を示す図である。このように、本考案の靴底１には、複数の貫通孔２が設けられている。なお、通気用アタッチメント３（図２等参照）又は貫通孔閉塞用アタッチメント１０（図７，８参照）が嵌め込まれたときに靴底に段差が生じないよう、アタッチメント３，１０の形状に併せて貫通孔２の周囲は凹んだ形状をしているものである。
貫通孔２の大きさや位置は適宜選択可能であるが、通気性及びデザイン性を考慮し、本実施例では略長方形で６つの貫通孔２を設けている。この靴底１に対して胛被（図示せず）が設けられるが、そのデザインは紐靴やローファーなど、様々な種類のものが適用可能である。
【００２１】
図２は本考案の通気用アタッチメント３を示す構造図であり、図３は本考案の通気用アタッチメント３の基材を示す斜視図であり、図４は本考案の通気用アタッチメント３を下から見た図である。本実施例の通気用アタッチメント３は、基材４と、第一のメッシュシート５、第二のメッシュシート６から構成されている。
【００２２】
基材４は、貫通孔２に嵌合する複数の凸部７を有している。そして、その複数の凸部７の中央が孔となっている通気孔８が設けられている。通気用アタッチメント３は、靴底１に嵌め込まれた時に、通気孔８により通気が行われ、靴の内部を快適に保つことができるものである。
【００２３】
そして、異物の混入などを防ぐため、通気孔８には第一のメッシュシート５が設けられる。本実施例においては第一のメッシュシート５はアルミ製のものを使用している。さらに、靴内部の吸水性の向上・デザイン性の向上などのために、基材４の上部全面に布製の第二のメッシュシート６が設けられている。このように、一層のメッシュシートだけでも本考案の目的は達成できるが、材質や強度の異なるメッシュシートを複数層設けることにより、靴の品質の向上を図ることが可能である。なお、メッシュシートの基材への接着にあたっては、熱圧着など公知の各種の技術を用いることが出来る。
【００２４】
なお、第一のメッシュシート５の複数の凸部７のうち、１つを孔を設けずに閉塞した凸部９とすることができる。これにより、嵌め込んだ通気用アタッチメント３を外すときに、この部分を外側から指で押して外すことができ、例えばメッシュシートに強度が弱いものを採用していたとしても、メッシュシートを破ることなく外すことができる。
【００２５】
図５は、通気用アタッチメント３を靴底１に嵌め込もうとする図である。通気用アタッチメント３は、手で簡単に嵌め込むことができる。そして、嵌め込んだ後は、靴底１の一部を構成することになる。
図６は、通気用アタッチメント３を嵌め込んだ靴１２を下から見た図である。図に示すように、閉塞した凸部９以外は、通気孔８を有しており、靴の内部との換気が行われ、足の蒸れや悪臭を防ぐことができるものである。
また、通気用アタッチメント３を外すときには、閉塞した凸部９を指で内側へ押し込めば、簡単に外すことができる。
【００２６】
図７及び図８は、貫通孔閉塞用アタッチメント１０を示す斜視図である。基本的な構造は、通気用アタッチメント３と同様であるが、凸部７の内部は孔が貫通しておらず全て閉塞している。これにより、雨の日や水溜まりを歩く際には、通気用アタッチメント３に変えて貫通孔閉塞用アタッチメント１０を嵌め込むことで、水の侵入を防ぐことができるものである。
なお、貫通孔閉塞用アタッチメント１０にも上部全面に吸水性のあるメッシュシート１１が設けられている。このことにより靴内部の湿気等を吸収し快適にし、かつ通気用アタッチメント３とのデザインの一貫性を保つことができる。
【符号の説明】
【００２７】
１        靴底
２        貫通孔
３        通気用アタッチメント
４        基材４
５        第一のメッシュシート
６        第二のメッシュシート
７        凸部
８        通気孔
９        閉塞した凸部
１０      貫通孔閉塞用アタッチメント
１１      メッシュシート
１２      通気用アタッチメントを嵌め込んだ靴
【図１】
0003151648.tif 000003
【図２】
0003151648.tif 000004
【図３】
0003151648.tif 000005
【図４】
0003151648.tif 000006
【図５】
0003151648.tif 000007
【図６】
0003151648.tif 000008
【図７】
0003151648.tif 000009
【図８】
0003151648.tif 000010